(57)【要約】    【課題】      視聴者にテレビ画面の切り替えを意識させることなく、自動的に固定テレビと携帯テレビ端末との間でテレビ画面の切り替えが行えるようにすること。    【解決手段】  固定テレビ１００と携帯テレビ端末１２０は赤外線通信手段を用いてチャンネル情報を共有し、携帯テレビ端末１２０が固定テレビ１００の前から移動した場合、視聴者の入力操作なしで固定テレビ１００はテレビ映像の再生表示を停止し、携帯テレビ端末１２０は固定テレビ１００と同じチャンネルの受信再生を開始する。再び携帯テレビ端末１２０が固定テレビ１００の前に戻った場合、固定テレビ１００は携帯テレビ端末１２０と同じチャンネルの受信再生を開始し、携帯テレビ端末１２０はテレビ映像の再生表示を停止する。  【選択図】      図１
2006108902.tif 000002
【特許請求の範囲】
【請求項１】
据置型テレビジョン受像機とテレビ映像の再生表示が可能な携帯端末とを備えるテレビ映像表示システムであって、前記据置型テレビジョン受像機及び携帯端末は、相互間を接続する有線ではない通信路を形成する近距離通信手段と、前記近距離通信手段を用いてチャンネル情報を一方から他方に送信することにより相互間でチャンネル情報を共有する手段と、前記近距離通信手段を用いて一方が他方に向けて送信した信号に対する他方からの応答を確認する手段と、を具備し、前記携帯端末は、前記応答の状態から、前記据置型テレビジョン受像機から離れた場所に居ると判断したとき、または、通信途絶の状態にあると判断したとき、共有するチャンネル情報に基づきテレビ映像の再生表示を行う手段、を具備することを特徴とするテレビ映像表示システム。
【請求項２】
据置型テレビジョン受像機とテレビ映像の再生表示が可能な携帯端末とを備えるテレビ映像表示システムであって、前記据置型テレビジョン受像機及び携帯端末は、相互間を接続する有線ではない通信路を形成する近距離通信手段と、前記近距離通信手段を用いてチャンネル情報を一方から他方に送信することにより相互間でチャンネル情報を共有する手段と、前記近距離通信手段を用いて一方が他方に向けて送信した信号に対する他方からの応答を確認する手段と、を具備し、前記据置型テレビジョン受像機は、前記応答の状態から、前記携帯端末が近い場所に居ると判断したとき、または、通信途絶の状態にないと判断したとき、共有するチャンネル情報に基づきテレビ映像の再生表示を行う手段、を具備することを特徴とするテレビ映像表示システム。
【請求項３】
前記据置型テレビジョン受像機は、前記応答の状態から、前記携帯端末から離れた場所に居ると判断したとき、または、通信途絶の状態にあると判断したとき、共有するチャンネル情報に基づくテレビ映像の再生表示を停止する手段、を具備することを特徴とする請求項１記載のテレビ映像表示システム。
【請求項４】
前記携帯端末は、前記応答の状態から、前記据置型テレビジョン受像機が近い場所に居ると判断したとき、または、通信途絶の状態にないと判断したとき、共有するチャンネル情報に基づくテレビ映像の再生表示を停止する手段、を具備することを特徴とする請求項２記載のテレビ映像表示システム。
【請求項５】
前記応答の確認に用いる信号は、共有すべく交換するチャンネル情報であることを特徴とする請求項１又は請求項２記載のテレビ映像表示システム。
【発明の詳細な説明】
【技術分野】
【０００１】
本発明は、据置型テレビジョン受像機（以降「固定テレビ」と記す）とテレビ映像の再生表示が可能な携帯端末（以降「携帯テレビ端末」と記す）とを備えるテレビ映像表示システムに関する。
【背景技術】
【０００２】
例えば、特許文献１では、いわゆるリモコンに小型の画面表示装置を備え、テレビ本体側の画像信号をリモコンの赤外線送受信回路を操作してリモコン側に取り込み画面表示装置に表示させることで、テレビ本体を別の視聴者が見ている場合でも、その鑑賞を妨げることなく裏番組のサーチ、ビデオプリンタの印字等を可能ならしめる映像表示装置が開示されている。
【０００３】
ところで、テレビ番組の視聴時に、ＣＭや興味の少ないシーンに変更された場合、視聴者はトイレに行く、或いは、ちょっとした作業のためテレビの前を離れることがある。そのようなときはテレビの状況を確認できないので、見たいシーンを見逃してしまうことがある。また、ＣＭ中や興味の少ないシーン中に戻って来るなど、テレビの前に戻って来るタイミングを誤ることがある。
【０００４】
また、テレビ１からテレビ２に移動して視聴を継続する場合として、例えば、１階のリビングで番組を視聴し、ＣＭのタイミングで寝室に移動し、寝室で番組の続きを見る場合は、視聴者はリビングのテレビのチャンネルを確認し、そのチャンネルを覚えていなければ、視聴者は寝室のテレビチャンネルを順に検索することになる。しかし、同種の番組が多数存在するような場合はチャンネルを特定することが困難であり、見たいシーンを見逃す可能性がある。
【特許文献１】特開平９−２９８６７７号公報
【発明の開示】
【発明が解決しようとする課題】
【０００５】
このような場合、上記の特許文献１に記載の技術を利用することが考えられる。即ち、固定テレビと携帯テレビ端末の２台を用い、視聴者が任意のタイミングでテレビ画面を固定テレビと携帯テレビ端末との間で切り替える方法が考えられる。
【０００６】
しかし、この方法では、視聴者は、固定テレビと携帯テレビ端末の電源入り切り操作を個別に行う必要がある。また、視聴者は、テレビ画面を一方から他方に切り替えて表示するためには、切替元テレビのチャンネルを確認し、切替先テレビのチャンネルを切替元テレビと同じチャンネルに合わせる操作が必要であるが、これらの操作中では、視聴者はその操作に意識が集中してしまうので、上記と同様に見たいシーンを見逃してしまうことが起こる。
【０００７】
本発明は、かかる点に鑑みてなされたものであり、視聴者にテレビ画面の切り替えを意識させることなく、自動的に固定テレビと携帯テレビ端末との間でテレビ画面の切り替えが行えるテレビ映像表示システムを提供することを目的とする。
【課題を解決するための手段】
【０００８】
かかる課題を解決するため、本発明に係るテレビ映像表示システムは、据置型テレビジョン受像機とテレビ映像の再生表示が可能な携帯端末とを備えるテレビ映像表示システムであって、前記据置型テレビジョン受像機及び携帯端末は、相互間を接続する有線ではない通信路を形成する近距離通信手段と、前記近距離通信手段を用いてチャンネル情報を一方から他方に送信することにより相互間でチャンネル情報を共有する手段と、前記近距離通信手段を用いて一方が他方に向けて送信した信号に対する他方からの応答を確認する手段とを具備し、前記携帯端末は、前記応答の状態から、前記据置型テレビジョン受像機から離れた場所に居ると判断したとき、または、通信途絶の状態にあると判断したとき、共有するチャンネル情報に基づきテレビ映像の再生表示を行う手段を具備する構成を採る。
【０００９】
この構成によれば、据置型テレビジョン受像機と携帯端末との距離が離れると自動的に携帯端末に据置型テレビジョン受像機のチャンネルと同じチャンネルの番組が開始されるので、視聴者の煩雑な操作がなくなる。また、視聴者は、番組の見逃しがなくなり、携帯端末上でＣＭの放送状態などが確認できる。
【００１０】
本発明に係るテレビ映像表示システムは、据置型テレビジョン受像機とテレビ映像の再生表示が可能な携帯端末とを備えるテレビ映像表示システムであって、前記据置型テレビジョン受像機及び携帯端末は、相互間を接続する有線ではない通信路を形成する近距離通信手段と、前記近距離通信手段を用いてチャンネル情報を一方から他方に送信することにより相互間でチャンネル情報を共有する手段と、前記近距離通信手段を用いて一方が他方に向けて送信した信号に対する他方からの応答を確認する手段と、を具備し、前記据置型テレビジョン受像機は、前記応答の状態から、前記携帯端末が近い場所に居ると判断したとき、または、通信途絶の状態にないと判断したとき、共有するチャンネル情報に基づきテレビ映像の再生表示を行う手段を具備する構成を採る。
【００１１】
この構成によれば、据置型テレビジョン受像機と携帯端末との距離が近くなると自動的に据置型テレビジョン受像機に携帯端末のチャンネルと同じチャンネルの番組が開始されるので、視聴者の煩雑な操作がなくなる。また、視聴者は、番組の見逃しがなくなる。さらに、据置型テレビジョン受像機が２台ある場合に、視聴者は、意識することなく両者間でのチャンネルの共有ができる。
【００１２】
本発明に係るテレビ映像表示システムは、上記の発明において、前記据置型テレビジョン受像機は、前記応答の状態から、前記携帯端末から離れた場所に居ると判断したとき、または、通信途絶の状態にあると判断したとき、共有するチャンネル情報に基づくテレビ映像の再生表示を停止する手段を具備する構成を採る。
【００１３】
この構成によれば、据置型テレビジョン受像機と携帯端末との距離が離れると自動的に据置型テレビジョン受像機のテレビ映像の再生表示が停止されるので、視聴者は据置型テレビジョン受像機の電源を切るといった操作が必要なくなる。また、操作中のシーン見逃しがなくなる。さらに、排他的な表示切り替えが可能となるので、電気代が節約できる。
【００１４】
本発明に係るテレビ映像表示システムは、上記の発明において、前記携帯端末は、前記応答の状態から、前記据置型テレビジョン受像機が近い場所に居ると判断したとき、または、通信途絶の状態にないと判断したとき、共有するチャンネル情報に基づくテレビ映像の再生表示を停止する手段を具備する構成を採る。
【００１５】
この構成によれば、据置型テレビジョン受像機と携帯端末との距離が近づくと自動的に携帯端末のテレビ映像の再生表示が停止されるので、視聴者は携帯端末の電源を切るといった操作が必要なくなる。また、操作中のシーン見逃しがなくなる。さらに、排他的な表示切り替えが可能となるので、電気代が節約できる。
【００１６】
本発明に係るテレビ映像表示システムは、上記の発明において、前記応答の確認に用いる信号は、共有すべく交換するチャンネル情報であるという構成を採る。
【００１７】
この構成によれば、据置型テレビジョン受像機と携帯端末との間で、簡単にチャンネル情報の共有が行える。
【発明の効果】
【００１８】
本発明によれば、視聴者にテレビ画面の切り替えを意識させることなく、自動的に据置型テレビジョン受像機とテレビ映像の再生表示が可能な携帯端末との間でテレビ画面の切り替えが行えるという効果が得られる。
【発明を実施するための最良の形態】
【００１９】
本発明の骨子は、視聴者にテレビ画面の切り替え操作を意識させず、かつ見たいシーンの見逃しがないようにするため、固定テレビと携帯テレビ端末との間で番組情報を共有し、固定テレビと携帯テレビ端末との自動連携によって固定テレビと携帯テレビ端末とがテレビの受像再生を排他的に切り替え得る機構を備えたテレビ映像表示システムを構築することである。具体的には、携帯テレビ端末がテレビの前から移動した場合は、視聴者の入力操作なしに携帯テレビ端末が固定テレビと同じチャンネルの受像再生表示を開始する。再び、携帯テレビ端末が固定テレビの前に戻った場合は、固定テレビが携帯テレビ端末と同じチャンネルの受像再生を開始するようにすることである。
【００２０】
以下、本発明の実施の形態について図面を参照して詳細に説明する。
【００２１】
（実施の形態１）
図１は、本発明の実施の形態１に係るテレビ映像表示システムの構成を示すブロック図である。図１に示すテレビ映像表示システムは、固定テレビ１００と携帯テレビ端末１２０とで構成されている。そして、図１では、固定テレビ１００と携帯テレビ端末１２０との間は、赤外線通信路を介して接続されている。なお、図１では、音声処理系は、省略されている。
【００２２】
固定テレビ１００と携帯テレビ端末１２０は、同様の構成であって、タイマー１０１，１２１と、赤外線送受信部１０２，１２２と、記憶部１０３，１２３と、制御部１０４，１２４と、アンテナ１０５，１２５と、チューナ１０６，１２６と、映像処理部１０７，１２７と、映像表示部１０８，１２８とを備えている。
【００２３】
タイマー１０１，１２１は、時間を測定する機能を有し、制御部１０４，１２４によってリセットされると、時刻０からの時間をカウントし制御部１０４，１２４に出力する。これによって、制御部１０４，１２４は、任意のタイミングでタイマー１０１，１２１をリセットしてからの経過時間を知ることができるようになっている。
【００２４】
赤外線送受信部１０２，１２２は、赤外線による通信路を形成する通信手段であり、制御部１０４，１２４の制御下に、相互間でチャンネル情報を交換授受するようになっている。
【００２５】
固定テレビ１００の記憶部１０３には、携帯テレビ端末１２０でのチャンネル情報が格納され、また、携帯テレビ端末１２０の記憶部１２３には、固定テレビ１００でのチャンネル情報が格納されている。記憶部１０３，１２３に格納されるチャンネル情報は、視聴するチャンネルが変更されると、その都度、制御部１０４，１２４によって変更される。
【００２６】
固定テレビ１００のアンテナ１０５は、通常のテレビ用アンテナであり、同軸ケーブル等を介してチューナ１０６に接続される。携帯テレビ端末１２０のアンテナ１２５は、ロッドアンテナ等であり、高周波線路を介してチューナ１２６に接続される。チューナ１０６，１２６は、制御部１０４，１２４の制御下に、記憶部１０３，１２３に格納されるチャンネル情報が示すチャンネルの映像情報を映像処理部１０７，１２７に与える。これによって、映像処理部１０７，１２７が処理したテレビ映像が映像表示部１０８，１２８に表示される。
【００２７】
固定テレビ１００の制御部１０４は、タイマー１０１を用いて一定時間（例えば１秒）間隔で記憶部１０３に格納されるチャンネル情報を携帯テレビ端末１２０に送信し、携帯テレビ端末１２０からの応答を待つ。そして、制御部１０４は、携帯テレビ端末１２０からの応答有無とチューナ１０６の状態（再生中であるか、停止中であるか）とに応じて、チャンネルの設定、再生、停止を制御するようになっている。
【００２８】
携帯テレビ端末１２０の制御部１２４は、タイマー１２１を用いて一定時間（例えば１．１秒）間隔で固定テレビ１００からの応答有無を確認する。そして、制御部１２４は、固定テレビ１００からの応答有無とチューナ１２６の状態（再生中であるか、停止中であるか）とに応じてチャンネルの設定、再生、停止を制御するようになっている。
【００２９】
図２と図３を参照して、以上のように構成される実施の形態１に係るテレビ映像表示システムにて実現されるテレビ画面の切替動作について説明する。なお、図２は、固定テレビ１００でのテレビ画面の切替動作を説明するフローチャートである。図３は、携帯テレビ端末１２０でのテレビ画面の切替動作を説明するフローチャートである。
【００３０】
図２において、固定テレビ１００では、制御部１０４は、記憶部１０３からチャンネル情報を取得し（ステップＳ２０１）、赤外線送受信部１０２から携帯テレビ端末１２０に向けて送信させる（ステップＳ２０２）。同時に、タイマー１０１をリセットして初期化を行い指定時間（例えば１秒）のカウント動作を開始させ（ステップＳ２０３）、赤外線送受信部１０２から受信した携帯テレビ端末１２０のチャンネル情報が入力するのを監視し（ステップＳ２０４）、赤外線送受信部１０２が携帯テレビ端末１２０のチャンネル情報を受信できたか否かを判定する（ステップＳ２０５）。
【００３１】
制御部１０４は、赤外線送受信部１０２が携帯テレビ端末１２０のチャンネル情報を指定時間（例えば１秒）の経過以内（ステップＳ２１０：ＮＯ）に受信できた場合は（ステップＳ２０５：ＹＥＳ）、携帯テレビ端末１２０は近くに居ると判断する。この場合には、固定テレビ１００を用いたテレビ視聴を行っている。
【００３２】
そこで、制御部１０４は、視聴者が固定テレビ１００を用いて視聴を行っているか否かを調べるために、チューナ１０６が再生動作中である否かを判定する（ステップＳ２０６）。そして、チューナ１０６が再生動作中であれば（ステップＳ２０６：ＹＥＳ）、当該固定テレビ１００でのテレビ映像の再生表示を継続させ、指定時間の経過を待ち（ステップＳ２０９：ＮＯ）、その指定時間が経過すると（ステップＳ２０９：ＹＥＳ）、ステップＳ２０１に戻る。
【００３３】
また、制御部１０４は、ステップＳ２０６において、チューナ１０６が再生動作を行っていなければ（ステップＳ２０６：ＮＯ）、携帯テレビ端末１２０を用いてテレビ視聴を行っているので、固定テレビ１００でのテレビ映像の再生表示に切り替えるために、受信した携帯テレビ端末１２０からのチャンネル情報をチューナ１０６及び記憶部１０３に設定し（ステップＳ２０７）、チューナ１０６に再生動作を開始させ（ステップＳ２０８）、即ち、当該固定テレビ１００でのテレビ映像の再生表示を開始させる。そして、指定時間（例えば１秒）の経過を待ち（ステップＳ２０９：ＮＯ）、その指定時間の経過すると（ステップＳ２０９：ＹＥＳ）、ステップＳ２０１に戻る。
【００３４】
また、制御部１０４は、ステップＳ２０５において、受信できてない状況（ステップＳ２０５：ＮＯ）が指定時間を超えて継続すると（ステップＳ２１０：ＹＥＳ）、携帯テレビ端末１２０は応答できない場所に居ると判断する。この場合は、視聴者は携帯テレビ端末１２０を用いたテレビ視聴を行なっている。そこで、制御部１０４は、何れを用いてテレビ視聴を行っているかを調べるためにチューナ１０６が再生動作中である否かを判定する（ステップＳ２１１）。チューナ１０６が再生動作中であれば（ステップＳ２１１：ＹＥＳ）、チューナ１０６に再生動作を停止させ（ステップＳ２１２）、即ち、テレビ映像の再生表示を停止させ、ステップＳ２０１に戻る。また、チューナ１０６が再生動作を行っていなければ（ステップＳ２１１：ＮＯ）、テレビ映像の再生表示を行っていないので、そのままステップＳ２０１に戻る。
【００３５】
次に、図３において、携帯テレビ端末１２０では、制御部１２４は、タイマー１２１をリセットして初期化を行い、指定時間（例えば１．１秒）カウント動作を開始させ（ステップＳ３０１）、赤外線送受信部１２２から受信した固定テレビ１００のチャンネル情報が入力するのを監視し（ステップＳ３０２）、赤外線送受信部１２２が固定テレビ１００のチャンネル情報を受信できたか否かを判定する（ステップＳ３０３）。
【００３６】
制御部１２４は、赤外線送受信部１２２が固定テレビ１００のチャンネル情報を指定時間の経過以内（ステップＳ３０８：ＮＯ）に受信できた場合は（ステップＳ３０３：ＹＥＳ）、固定テレビ１００の近くに居ると判断する。この場合には、視聴者は固定テレビ１００を用いたテレビ視聴を行っている。
【００３７】
そこで、制御部１２４は、チューナ１２６が再生動作中であるか否かを判定する（ステップＳ３０４）。そして、チューナ１２６が再生動作中であれば（ステップＳ３０４：ＹＥＳ）、固定テレビ１００でのテレビ映像の再生表示に切り替えるために、チューナ１２６に再生動作を停止させ（ステップＳ３０５）、即ち、テレビ映像の再生表示を停止させ、ステップＳ３０６とステップＳ３０７の処理に進む。また、制御部１２４は、チューナ１２６が再生動作を行っていなければ（ステップＳ３０４：ＮＯ）、そのままステップＳ３０６とステップＳ３０７の処理に進む。
【００３８】
即ち、制御部１２４は、その後に携帯テレビ端末１２０を用いたテレビ視聴を行う場合に備え、受信した固定テレビ１００からのチャンネル情報を記憶部１２３に設定し（ステップＳ３０６）、応答としてその設定したチャンネル情報を赤外線送受信部１２２から固定テレビ１００に向けて送信させ（ステップＳ３０７）、ステップＳ３０１に戻る。
【００３９】
一方、制御部１２４は、ステップＳ３０３において、受信できてない状況（ステップＳ３０３：ＮＯ）が指定時間を超えて継続すると（ステップＳ３０８：ＹＥＳ）、固定テレビ１００から相当に離れていると判断する。この場合は、視聴者は携帯テレビ端末１２０を用いたテレビ視聴を行っている。
【００４０】
そこで、制御部１２４は、チューナ１２６が再生動作中である否かを判定する（ステップＳ３０９）。制御部１２４は、チューナ１２６が再生動作中であれば（ステップＳ３０９：ＹＥＳ）、そのままステップＳ３０１に戻る。携帯テレビ端末１２０を用いたテレビ視聴を継続する。また、制御部１２４は、チューナ１２６が再生動作を行っていなければ（ステップＳ３０９：ＮＯ）、記憶部１２３からチャンネル情報を取り出してチューナ１２６に設定して再生動作を行わせ（ステップＳ３１０）、即ちテレビ映像の再生表示を行わせ、ステップＳ３０１に戻る。
【００４１】
なお、携帯テレビ端末１２０が用いる指定時間（例えば１．１秒）が固定テレビでの指定時間（例えば１秒）よりも長くなっているのは、固定テレビから受信できない場合は、相互の接続が切れたと考えられるので、処理時間の誤差以上大きくしたことによる。
【００４２】
以上の動作をまとめると（１）〜（４）のようになる。即ち、（１）固定テレビは、指定の周期で携帯テレビ端末に向けてチャンネル情報を送信し、携帯テレビ端末からの応答（チャンネル情報の送信通知）有無によって、携帯テレビ端末が近くに居るのか、通信できない場所に居るのかを繰り返し調べる。（２）携帯テレビ端末が固定テレビの近くに居る場合は、視聴者は固定テレビで視聴できる状況にあるので、固定テレビにてテレビ映像を表示する。このとき、携帯テレビ端末では通信できない場所に移動するのに備えて固定テレビが送信するチャンネル情報をその都度記憶しておく。（３）視聴者が携帯テレビ端末を持って移動し固定テレビと通信できない場所に移ると、携帯テレビ端末は移動する直前に固定テレビから受信したチャンネル情報を用いてテレビ映像の再生表示を開始する。これによって、携帯テレビ端末は固定テレビが再生していたチャンネルと同じチャンネルのテレビ映像の再生表示を引き続いて行うことができる。このとき、固定テレビでのテレビ映像の再生表示は、周囲の状況によっては停止しても良いが、赤外線通信路は維持する必要がある。（４）再び視聴者が固定テレビの前に戻った場合は、携帯テレビ端末がテレビ映像の再生表示中であるが、赤外線通信が可能となり、その時のチャンネル情報を応答として送信するので、固定テレビはその受信したチャンネル情報を用いてテレビ映像の再生表示を開始する。これによって、固定テレビは携帯テレビ端末が再生していたチャンネルと同じチャンネルのテレビ映像の再生表示を引き続いて行うことができる。このとき、携帯テレビ端末でのテレビ映像の再生表示は、停止しても良い。なお、赤外線通信路は維持するようにする。
【００４３】
図１では、１台の固定テレビを示すが、固定テレビが複数台あり、視聴者が携帯テレビ端末を持って固定テレビ＃１の前から固定テレビ＃２の前に移動した場合でも、上記の構成によって固定テレビ＃１でのチャンネルを固定テレビ＃２においても引き続いて再生することができる。
【００４４】
このように、実施の形態１によれば、視聴者にテレビ画面の切り替えを意識させることなく、自動的に固定テレビと携帯テレビ端末との間でテレビ画面の切り替えが行えるテレビ映像表示システムが得られる。
【００４５】
したがって、番組の見逃しを防ぐことができ、また携帯テレビ端末にてＣＭの放送状態など、見たくないシーンの確認ができる。さらに、固定テレビと携帯テレビ端末とが近い場所にあるときは、携帯テレビ端末でのテレビ映像の再生表示を自動的に停止することができるので、再生表示停止と連動して電源をオフにするようにすれば、視聴者は携帯テレビ端末の電源を切るという余分な操作をしなくて済むようになる。加えて、固定テレビと携帯テレビ端末とで、排他的に表示切替を行うことができるので、同様に連動して電源の入り切りを行うようにすれば、電気代を節約することができるようになる。
【００４６】
なお、図１では、固定テレビと携帯テレビ端末との間の近距離通信手段として赤外線通信を用いた場合を示したが、その他、例えばブルートゥース（Ｂｌｕｅｔｏｏｔｈ）や無線ＬＡＮを用いても良い。この場合には、距離によって受信状態の強弱が変化するので、図２に示すステップＳ２０５と図３に示すステップＳ３０３での受信有無判断処理は、強い受信があったか否かの判断処理となる。
【００４７】
また、テレビ画面の切り替えのみを説明したが、テレビ画面に代えて音声のみ切り替えを行っても良く、また双方の切り替えを行っても良い。また、ＦＭ放送など他の放送電波の受信切り替えを行っても良い。
【００４８】
（実施の形態２）
図４は、本発明の実施の形態２に係るテレビ映像表示システムの構成を示すブロック図である。なお、図４では、図１（実施の形態１）に示した構成要素と同一ないしは同等である要素には同一の符号が付されている。ここでは、本実施の形態２に関わる部分を中心に説明する。
【００４９】
図４に示すように、本実施の形態２では、図１（実施の形態１）に示した構成において携帯テレビ端末１２０に代えて携帯テレビ端末４００が設けられ、またパソコンやビデオ４２０が追加されている。
【００５０】
携帯テレビ端末４００では、図１（実施の形態１）に示した携帯テレビ端末１２０において、テレビ電波を受信するアンテナ１２５及びチューナ１２６に代えて無線ＬＡＮアンテナ４０１及び無線ＬＡＮ送受信部４０２が設けられ、制御部１２４に代えて制御部４０３が設けられている。
【００５１】
パソコンやビデオ４２０は、テレビ電波を受信するアンテナ４２１及びチューナ４２２と、チャンネル情報を記憶する記憶部４２３と、無線ＬＡＮアンテナ４２４及び無線ＬＡＮ送受信部４２５と、制御部４２６とを備えている。
【００５２】
即ち、携帯テレビ端末４００の制御部４０３は、無線ＬＡＮを介してパソコンやビデオ４２０の制御部４２６と制御情報の授受を行い、固定テレビ１００から受信したチャンネル情報をパソコンやビデオ４２０に送って保存させ、またパソコンやビデオ４２０からテレビ映像とチャンネル情報とを受け取るようになっている。
【００５３】
したがって、この構成によっても実施の形態１と同様の作用、効果が得られる。
【００５４】
（実施の形態３）
図５は、本発明の実施の形態３に係るテレビ映像表示システムの構成を示すブロック図である。なお、図５では、図１（実施の形態１）に示した構成要素と同一ないしは同等である要素には同一の符号が付されている。ここでは、本実施の形態３に関わる部分を中心に説明する。
【００５５】
図５に示すように本実施の形態３では、図１（実施の形態１）に示した構成において、固定テレビ１００に代えて固定テレビ５００が設けられ、携帯テレビ端末１２０に代えて携帯テレビ端末５２０が設けられている。
【００５６】
固定テレビ５００では、図１（実施の形態１）に示した固定テレビ１００において、赤外線送受信部１０２に代えて無線通信部５０１が設けられ、制御部１０４に代えて制御部５０２が設けられ、またタイマー１０１は省略されている。
【００５７】
携帯テレビ端末５２０では、図１（実施の形態１）に示した携帯テレビ端末１２０において、位置センサ５２１が追加されている。そして、赤外線送受信部１２２に代えて無線通信部５２２が設けられ、制御部１２４に代えて制御部５２３が設けられている。
【００５８】
携帯テレビ端末５２０が備える位置センサ５２１は、例えば、ＧＰＳ（全地球測位システム）衛星電波を受信して現在位置を検出するセンサであり、制御部５２３に出力する。携帯テレビ端末５２０の制御部５２３は、実施の形態１での制御部１２４とは異なり、チャンネル情報を固定テレビ５００に送信する他、位置センサ５２１の検出位置に基づき、当該携帯テレビ端末５２０が固定テレビ５００に近い位置に居るのか、遠い位置に居るのかは判定し、その判定結果も固定テレビ５００に送信するようになっている。
【００５９】
固定テレビ５００は、一定周期で携帯テレビ端末５２０にチャンネル情報を送信するのではなく、携帯テレビ端末５２０から送られて来るチャンネル情報及び位置判定結果に基づき、チャンネル情報の送信必要性を判断し、必要が有るときにチャンネル情報を送信するようになっている。したがって、図１に示したタイマー１０１は、不要につき省略されている。
【００６０】
なお、近距離通信手段は、実施の形態１と同様に、赤外線通信でもよいが、この実施の形態３では、受信できたか否かによって互いの位置を判定するのではなく、受信があったときそれぞれの制御動作を行うので、受信範囲の広い無線通信を用いた方が望ましい。したがって、無線通信部としている。
【００６１】
図６と図７を参照して、以上のように構成される実施の形態３に係るテレビ映像表示システムにて実現されるテレビ画面の切替動作について説明する。なお、図６は、固定テレビ５００でのテレビ画面の切替動作を説明するフローチャートである。図７は、携帯テレビ端末５２０でのテレビ画面の切替動作を説明するフローチャートである。
【００６２】
図６において、固定テレビ５００では、制御部５０２は、無線通信部５０１を制御して無線受信動作を行わせ（ステップＳ６０１）、携帯テレビ端末５２０から位置判定結果及びチャンネル情報が受信できるのを待機する（ステップＳ６０２）。携帯テレビ端末５２０から位置判定結果及びチャンネル情報が受信できると（ステップＳ６０２：ＹＥＳ）、制御部５０２は、位置判定結果を調べ、携帯テレビ端末５２０が固定テレビ５００の近くに居るか否かを判定する（ステップＳ６０３）。
【００６３】
その結果、携帯テレビ端末５２０が固定テレビ５００の近くに居る場合は（ステップＳ６０３：ＹＥＳ）、固定テレビ５００を用いたテレビ視聴を行っているので、制御部５０２は、視聴者が固定テレビ５００を用いたテレビ視聴を行っているかを調べるために、チューナ１０６が再生動作中である否かを判定する（ステップＳ６０４）。そして、チューナ１０６が再生動作中であれば（ステップＳ６０３：ＹＥＳ）、当該固定テレビ５００でのテレビ映像の再生表示を継続させ、ステップＳ６０１に戻る。
【００６４】
また、チューナ１０６が再生動作を行っていなければ（ステップＳ６０３：ＮＯ）、携帯テレビ端末５２０を用いてテレビ視聴を行っているので、固定テレビ５００でのテレビ映像の再生表示に切り替えるために、受信した携帯テレビ端末５２０からのチャンネル情報をチューナ１０６及び記憶部１０３に設定し（ステップＳ６０５）、チューナ１０６に再生動作を開始させ（ステップＳ６０６）、即ち、当該固定テレビ５００でのテレビ映像の再生表示を開始させる。その後、ステップＳ６０１に戻る。
【００６５】
また、ステップＳ６０３において、携帯テレビ端末５２０が固定テレビ５００の近くに居ない場合は（ステップＳ６０３：ＮＯ）、視聴者は携帯テレビ端末５２０を用いたテレビ視聴を行っているので、制御部５０２は、携帯テレビ端末５２０を用いたテレビ視聴を行っているかを調べるために、チューナ１０６が再生動作中である否かを判定する（ステップＳ６０７）。
【００６６】
その結果、チューナ１０６が再生動作中であれば（ステップＳ６０７：ＹＥＳ）、そのチャンネル情報をチューナ１０６から取得し（ステップＳ６０８）、それを携帯テレビ端末５２０に送信する（ステップＳ６０９）と共に、チューナ１０６に再生動作を停止させ（ステップＳ６１０）、即ち、テレビ映像の再生表示を停止させ、ステップＳ６０１に戻る。また、チューナ１０６が再生動作を行っていなければ（ステップＳ６０７：ＮＯ）、テレビ映像の再生表示を行っていないので、そのままステップＳ６０１に戻る。
【００６７】
次に、図７において、携帯テレビ端末５２０では、制御部５２３は、位置センサ５２１を制御して位置情報を取得している（ステップＳ７０１）。制御部５２３は、タイマー１２１をリセットして初期化を行って指定時間のカウント動作を開始させる（ステップＳ７０２）。そして、制御部５２３は、取得した位置情報に基づき固定テレビ５００が近接しているか否かの位置判定を行い（ステップＳ７０３）、それに基づき以下の制御動作を行う。
【００６８】
即ち、固定テレビ５００が近接している場合は（ステップＳ７０３：ＹＥＳ）、視聴者は固定テレビ５００を用いたテレビ視聴を行っているので、制御部５２３は、チューナ１２６が再生動作中であるか否かを判定する（ステップＳ７０４）。
【００６９】
その結果、チューナ１２６が再生動作中であれば（ステップＳ７０４：ＹＥＳ）、固定テレビ５００でのテレビ映像の再生表示に切り替えるために、制御部５２３は、チューナ１２６からチャンネル情報を取得し（ステップＳ７０５）、それを位置情報（位置判定結果）と共に固定テレビ５００に送信する（ステップＳ７０６）。その後チューナ１２６に再生動作を停止させ（ステップＳ７０７）、即ちテレビ映像の再生表示を停止させ、指定時間の経過を待って（ステップＳ７０８：ＹＥＳ）ステップＳ７０１に戻る。また、制御部５２３は、チューナ１２６が再生動作を行っていなければ（ステップＳ７０４：ＮＯ）、単に指定時間の経過を待って（ステップＳ７０８：ＹＥＳ）ステップＳ７０１に戻る。
【００７０】
一方、制御部５２３は、ステップＳ７０３において、固定テレビ５００が隣接していなければ（ステップＳ７０３：ＮＯ）、視聴者は視聴者は携帯テレビ端末５２０を用いたテレビ視聴を行っているので、制御部５２３は、チューナ１２６が再生動作中である否かを判定する（ステップＳ７０９）。チューナ１２６が再生動作中であれば（ステップＳ７０９：ＹＥＳ）、制御部５２３は、それを継続させ、単に指定時間の経過を待って（ステップＳ７０８：ＹＥＳ）ステップＳ７０１に戻る。
【００７１】
また、チューナ１２６が再生動作を行っていなければ（ステップＳ７０９：ＮＯ）、制御部５２３は、記憶部１２３からチャンネル情報を取得し（ステップＳ７１０）、それを位置情報（位置判定結果）と共に固定テレビ５００に送信する（ステップＳ７１１）。なお、ここでは位置情報しか固定テレビ５００は使用しないが、処理を簡略化するため両方を送信するとしている。その後制御部５２３は、無線通信部５２２を制御して無線受信動作を行わせ（ステップＳ７１２）、固定テレビ５００からのチャンネル情報が受信できるのを待機する（ステップＳ７１３）。
【００７２】
指定時間内（ステップＳ７１６：ＮＯ）に受信できると（ステップＳ７１３：ＹＥＳ）制御部５２３は、チューナ１２６にチャンネル情報を設定し（ステップＳ７１４）、再生動作を行わせ（ステップＳ７１５）、即ち、テレビ映像の再生表示を行わせ、指定時間の経過を待って（ステップＳ７０８：ＹＥＳ）ステップＳ７０１に戻る。一方、受信できない（ステップＳ７１３：ＮＯ）状態が指定時間を超えると（ステップＳ７１６：ＹＥＳ）、そのままステップＳ７０１に戻る。
【００７３】
このように、実施の形態３によれば、携帯テレビ端末が現在位置情報を取得して固定テレビとの位置関係を判断し、それを固定テレビに通知することによって、携帯テレビ端末が固定テレビの近くに居るときは固定テレビがテレビ映像を表示し、携帯テレビ端末が固定テレビから離れた場所に居るときは携帯テレビ端末がテレビ映像を表示する制御を行うことができるので、実施の形態１と同様の作用、効果が得られる。
【００７４】
（実施の形態４）
図８は、本発明の実施の形態４に係るテレビ映像表示システムの構成を示すブロック図である。なお、図８では、図１（実施の形態１）に示した構成要素と同一ないしは同等である要素には同一の符号が付されている。ここでは、本実施の形態４に関わる部分を中心に説明する。
【００７５】
図８に示すように本実施の形態４では、図１（実施の形態１）に示した構成において、固定テレビ１００に代えて固定テレビ８００が設けられ、携帯テレビ端末１２０に代えて携帯テレビ端末８２０が設けられている。
【００７６】
固定テレビ８００では、図１（実施の形態１）に示した固定テレビ１００において制御部１０４に代えて制御部８０１が設けられている。携帯テレビ端末８２０では、図１（実施の形態１）に示した携帯テレビ端末１２０において、通話制御部８２１が追加され、制御部１２４に代えて制御部８２２が設けられている。つまり、携帯テレビ端末８２０は、テレビ機能付き携帯電話機である。
【００７７】
携帯テレビ端末８２０では、通話制御部８２１は通話中であるか否かを示す通話情報を制御部８２２に与える。制御部８２２は、実施の形態１にて説明したチャンネル情報と通話制御部８２１から取得した通話情報とを固定テレビ８００に送信する。また、制御部８２２は、当該携帯テレビ端末８２０に電話が掛かってき場合には、テレビ映像の再生表示を停止するようになっている。
【００７８】
固定テレビ８００の制御部８０１は、受信した通話情報が通話中を示すときは、テレビ映像の再生表示を停止せず、その後、携帯テレビ端末８２０からチャンネル情報が受信できない場合でも停止せず、通話の終了までテレビ映像の再生表示を続ける制御を行うようになっている。
【００７９】
図９と図１０を参照して、以上のように構成される実施の形態４に係るテレビ映像表示システムにて実現されるテレビ画面の切替動作について説明する。なお、図９は、固定テレビ８００でのテレビ画面の切替動作を説明するフローチャートである。図１０は、携帯テレビ端末８２０でのテレビ画面の切替動作を説明するフローチャートである。
【００８０】
図９では、図２（実施の形態１）にて示した処理手順と同一ないしは同等である手順には、同一の符号が付されている。ここでは、本実施の形態４に関わる部分を中心に説明する。
【００８１】
図９において、固定テレビ８００では、制御部８０１は、赤外線送受信部１０２が携帯テレビ端末８２０のチャンネル情報と通話情報とを受信できた場合は（ステップＳ２０５：ＹＥＳ）、まず、受信した通話情報が通話中を示しているか否かを判定し（ステップＳ９０１）、通話情報が通話中を示していない（ステップＳ９０１：ＮＯ）ときに、チューナ１０６が再生動作中か否かを判断する（ステップＳ２０６）。
【００８２】
そして、制御部８０１は通話情報が通話中を示している場合は（ステップＳ９０１：ＹＥＳ）、記憶部１０３からチャンネル情報を取得し（ステップＳ９０２）、赤外線送受信部１０２から携帯テレビ端末８２０に向けて送信させる（ステップＳ９０３）。同時に、タイマー１０１をリセットして初期化を行い指定時間のカウント動作を開始させ（ステップＳ９０４）、赤外線送受信部１０２から受信した携帯テレビ端末８２０のチャンネル情報が入力するのを監視し（ステップＳ９０５）、赤外線送受信部１０２が携帯テレビ端末８２０のチャンネル情報を受信できたか否かを判定する（ステップＳ９０６）。
【００８３】
制御部８０１は、携帯テレビ端末８２０のチャンネル情報を指定時間の経過以内（ステップＳ９０８：ＮＯ）に受信できた場合は（ステップＳ９０６：ＹＥＳ）、通話中であるか否かを判定し（ステップＳ９０７）、通和中であれば（ステップＳ９０７：ＹＥＳ）ステップＳ９０５に戻る。また、制御部８０１は、携帯テレビ端末８２０のチャンネル情報を受信できない状況（ステップＳ９０６：ＮＯ）が指定時間（例えば１秒）を超えて継続すると（ステップＳ９０８：ＹＥＳ）、ステップＳ９０２に戻る。そして、制御部８０１は、携帯テレビ端末８２０が通話を終了すると（ステップＳ９０７：ＮＯ）、ステップＳ２０１に戻る。
【００８４】
このように、固定テレビ８００では、携帯テレビ端末８２０が通話中である場合は、通話終了を受信するまで、一定周期でチャンネル情報を送信する。この繰り返し処理の過程では、チューナ１０６への再生、停止は行われない。これによって、固定テレビ８００では、通話が終了するまで、現在のチャンネルでの再生状態が維持される。
【００８５】
次に、図１０では、図３（実施の形態１）にて示した処理手順と同一ないしは同等である手順には、同一の符号が付されている。ここでは、本実施の形態４に関わる部分を中心に説明する。
【００８６】
図１０において、携帯テレビ端末８２０では、制御部８２２は、固定テレビ８００からのチャンネル情報を受信できた場合（ステップＳ３０３：ＹＥＳ）において、その受信したチャンネル情報を記憶部１２３に設定すると（ステップＳ３０６）、本実施の形態４では、その設定したチャンネル情報に通話制御部８２１から取得した通話情報を加えて応答として赤外線送受信部１２２から固定テレビ８００に向けて送信させ（ステップＳ１００１）、ステップＳ３０１に戻る。この通話情報には、図９における通話中判断処理（ステップＳ９０７）で必要となる通話終了も含まれている。
【００８７】
また、制御部８２２は、固定テレビ８００からチャンネル情報を受信できない状況（ステップＳ３０３：ＮＯ）が指定時間を超えて継続する場合（ステップＳ３０８：ＹＥＳ）は、まず、通話中であるか否かを判断し（ステップＳ１００２）、通話を行っていない場合（ステップＳ１００２：ＮＯ）にテレビ映像の再生表示処理（ステップＳ３０９，ステップＳ３１０）を行う。
【００８８】
制御部８２２は、通話中である場合（ステップＳ１００２：ＹＥＳ）は、電話が掛かってきて別の場所に移動した、あるいは、赤外線送受信部１２２を手で覆ったためにチャンネル情報を受信できない状況（ステップＳ３０３：ＮＯ）になったので、チューナ１２６が再生動作中である否かを判定する（ステップＳ１００３）。制御部８２２は、チューナ１２６が再生動作中であれば（ステップＳ１００３：ＹＥＳ）、チューナ１２６に再生動作を停止させ、即ち、テレビ映像の再生表示を停止させ（ステップＳ１００４）、ステップＳ３０１に戻る。また、制御部８２２は、チューナ１２６が再生動作を行っていなければ（ステップＳ１００３：ＮＯ）、そのままステップＳ３０１に戻る。
【００８９】
このように、携帯テレビ端末８２０では、当該携帯テレビ端末８２０に電話が掛かってき場合には、チャンネル情報を受信できない状況になるが、実施の形態１とは異なり、テレビ映像の再生表示を停止する。これによって、視聴者は、電話に集中して応答できるようになる。この場合には、固定テレビは、現在の表示状態を維持する機能を有しているので、視聴していたチャンネル情報が電話着信によって失われることはない。
【００９０】
したがって、本実施の形態４によれば、携帯テレビ端末がテレビ機能付き携帯電話機である場合でも、着信に応答しつつ、固定テレビと携帯テレビ端末との間でテレビ映像の再生表示切り替えを自動的に行うことができるので、実施の形態１と同様の作用、効果を得ることができる。
【００９１】
（実施の形態５）
図１１は、本発明の実施の形態５に係るテレビ映像表示システムの構成を示すブロック図である。なお、図１１では、図８（実施の形態４）に示した構成要素と同一ないしは同等である要素には同一の符号が付されている。ここでは、本実施の形態５に関わる部分を中心に説明する。
【００９２】
図１１に示すように、本実施の形態５では、図８（実施の形態４）に示した構成において、固定テレビ８００に代えて固定テレビ１１００が設けられている。固定テレビ１１００には、通話情報を記憶する記憶部１１０１が追加され、制御部８０１に代えて制御部１１０２が設けられている。
【００９３】
図１２を参照して、以上のように構成される実施の形態４に係るテレビ映像表示システムにて実現されるテレビ画面の切替動作について説明する。なお、図１２は、固定テレビ１１００でのテレビ画面の切替動作を説明するフローチャートである。図１２は、図２（実施の形態１）にて示した処理手順と同一ないしは同等である手順には、同一の符号が付されている。ここでは、本実施の形態５に関わる部分を中心に説明する。
【００９４】
図１２において、固定テレビ１１００では、制御部１１０２は、赤外線送受信部１０２が携帯テレビ端末８２０のチャンネル情報と通話情報とを受信できた場合は（ステップＳ２０５：ＹＥＳ）、まず、記憶部１１０１にその受信した通話情報を格納する（ステップＳ１２０１）。この通話情報には、通話中と通話終了とが含まれている。
【００９５】
次に、制御部１１０２は、記憶部１１０１に設定した通話情報を参照して通話中であるか否かを判定し（ステップＳ１２０２）、通話を行っていなければ（ステップＳ１２０２：ＮＯ）チューナ１０６が再生動作中か否かを判断する（ステップＳ１２０６）。そして、制御部１１０２は、通話中である場合（ステップＳ１２０２：ＹＥＳ）、または、チューナ１０６が再生動作中である場合（ステップＳ１２０６：ＹＥＳ）は、そのままステップＳ１２０９に進む。
【００９６】
また、制御部１１０２は、受信できない状況（ステップＳ２０５：ＮＯ）が指定時間を超えて継続すると（ステップＳ２１０：ＹＥＳ）、記憶部１１０１から通話情報を取得し（ステップＳ１２０３）、通話中であるか否かを判定し（ステップＳ１２０４）、通話中であれば（ステップＳ１２０４：ＹＥＳ）そのままステップＳ２０１に戻る。また、通話を行っていなければ（ステップＳ１２０４：ＮＯ）チューナ１０６が再生動作中か否かを判断する（ステップＳ２１１）。
【００９７】
このように、実施の形態５によれば、固定テレビ側で通話情報を保存するようにしたので、固定テレビでの処理の簡素化を図りつつ、実施の形態４と同様の作用、効果が得られる。
【００９８】
（実施の形態６）
本発明の実施の形態６に係るテレビ映像表示システムでは、図１（実施の形態１）に示した構成を用いて、実施の形態１とは逆に、携帯テレビ端末が、一定周期でチャンネル情報の送信を行い、固定テレビからの応答（チャンネル情報の送信）受信を待つ方法を実施する場合が示されている。以下、図１３と図１４を参照して本発明の実施の形態６に係るテレビ映像表示システムでのテレビ画面の切替動作について説明する。ここでは、図１の構成を参照して説明する。
【００９９】
図１３は、本発明の実施の形態６に係るテレビ映像表示システムにおける固定テレビ１００でのテレビ画面の切替動作を説明するフローチャートである。図１３において、固定テレビ１００では、制御部１０４は、タイマー１０１をリセットして初期化を行い、指定時間カウント動作を開始させ（ステップＳ１３０１）、赤外線送受信部１０２から受信した携帯テレビ端末１２０のチャンネル情報が入力するのを監視し（ステップＳ１３０２）、赤外線送受信部１０２が携帯テレビ端末１２０のチャンネル情報を受信できたか否かを判定する（ステップＳ１３０３）。
【０１００】
制御部１０４は、赤外線送受信部１０２が携帯テレビ端末１２０のチャンネル情報を指定時間の経過以内（ステップＳ１３０８：ＮＯ）に受信できた場合は（ステップＳ１３０３：ＹＥＳ）、チューナ１０６が再生動作中であるか否かを判定する（ステップＳ１３０４）。そして、チューナ１０６が再生動作中であれば（ステップＳ１３０４：ＹＥＳ）、応答としてチャンネル情報を送信して（ステップＳ１３０７）ステップＳ１３０１に戻る。
【０１０１】
また、制御部１０４は、チューナ１０６が再生動作を行っていなければ（ステップＳ１３０４：ＮＯ）チューナ１０６にチャンネル情報を設定し（ステップＳ１３０５）、再生動作を開始させ（ステップＳ１３０６）、即ち、テレビ映像の再生表示を開始させる。その後、応答としてチャンネル情報を送信して（ステップＳ１３０７）ステップＳ１３０１に戻る。
【０１０２】
一方、制御部１０４は、ステップＳ１３０３において、受信できてない状況（ステップＳ１３０３：ＮＯ）が指定時間を超えて継続すると（ステップＳ１３０８：ＹＥＳ）、チューナ１０６が再生動作中であるか否かを判定する（ステップＳ１３０９）。そして、チューナ１０６が再生動作中であれば（ステップＳ１３０９：ＹＥＳ）、チューナ１０６に再生動作を停止させ（ステップＳ１３１０）、即ちテレビ映像の再生表示を停止させ、ステップＳ１３０１に戻る。また、制御部１０４は、チューナ１０６が再生動作を行っていなければ（ステップＳ１３０９：ＮＯ）、そのままステップＳ１３０１に戻る。
【０１０３】
次に、図１４は、本発明の実施の形態６に係るテレビ映像表示システムにおける携帯テレビ端末１２０でのテレビ画面の切替動作を説明するフローチャートである。図１４において、携帯テレビ端末１２０では、制御部１２４は、記憶部１２３からチャンネル情報を取得し（ステップＳ１４０１）、赤外線送受信部１２２から固定テレビ１００に向けて送信させる（ステップＳ１４０２）。同時に、タイマー１２１をリセットして初期化を行い指定時間のカウント動作を開始させ（ステップＳ１４０３）、赤外線送受信部１２２から受信した固定テレビ１００のチャンネル情報が入力するのを監視し（ステップＳ１４０４）、赤外線送受信部１２２が固定テレビ１００のチャンネル情報を受信できか否かを判定する（ステップＳ１４０５）。
【０１０４】
制御部１２４は、赤外線送受信部１２２が固定テレビ１００のチャンネル情報を指定時間の経過以内（ステップＳ１４１０：ＮＯ）に受信できた場合は（ステップＳ１４０５：ＹＥＳ）、受信した固定テレビ１００からのチャンネル情報を記憶部１２３に設定し（ステップＳ１４０６）、チューナ１２６が再生動作中である否かを判定する（ステップＳ１４０７）。そして、チューナ１２６が再生動作中であれば（ステップＳ１４０７：ＹＥＳ）、指定時間の経過を待ち（ステップＳ１４０９：ＮＯ）、その指定時間が経過すると（ステップＳ１４０９：ＹＥＳ）、ステップＳ１４０１に戻る。
【０１０５】
また、制御部１２４は、チューナ１２６が再生動作を行っていなければ（ステップＳ１４０７：ＮＯ）、チューナ１２６にチャンネル情報を設定して再生動作を開始させ（ステップＳ１４０８）、即ち、当該携帯テレビ端末１２０でのテレビ映像の再生表示を開始させる。そして、指定時間の経過を待ち（ステップＳ１４０９：ＮＯ）、その指定時間の経過すると（ステップＳ１４０９：ＹＥＳ）、ステップＳ１４０１に戻る。
【０１０６】
また、制御部１２４は、ステップＳ１４０５において、受信できてない状況（ステップＳ１４０５：ＮＯ）が指定時間を超えて継続すると（ステップＳ１４１０：ＹＥＳ）、チューナ１２６が再生動作中である否かを判定する（ステップＳ１４１１）。そして、チューナ１２６が再生動作を行っていなければ（ステップＳ１４１１：ＮＯ）、そのままステップＳ１４０１に戻る。また、チューナ１２６が再生動作中であれば（ステップＳ１４１１：ＹＥＳ）、チューナ１２６に再生動作を停止させ（ステップＳ１４１２）、即ちテレビ映像の再生表示を停止させ、ステップＳ１４０１に戻る。
【０１０７】
このように、実施の形態６によれば、携帯テレビ端末が、一定周期でチャンネル情報の送信を行い、固定テレビからの応答（チャンネル情報の送信）受信を待つ方法を採用した場合でも、固定テレビと携帯テレビ端末との間でテレビ映像の再生表示切り替えを自動的に行うことができるので、実施の形態１と同様の作用、効果を得ることができる。
【０１０８】
（実施の形態７）
図１５は、本発明の実施の形態７に係るテレビ映像表示システムの構成を示すブロック図である。なお、図１５では、図１（実施の形態１）に示した構成要素と同一ないしは同等である要素には同一の符号が付されている。ここでは、本実施の形態７に関わる部分を中心に説明する。
【０１０９】
図１５に示すように、本実施の形態７では、図１（実施の形態１）に示した構成において、固定テレビ１００に代えて固定テレビ１５００が設けられ、携帯テレビ端末１２０に代えて携帯テレビ端末１５２０が設けられている。
【０１１０】
固定テレビ１５００では、図１（実施の形態１）に示した固定テレビ１００において制御部１０４に代えて制御部１５０１が設けられている。携帯テレビ端末１５２０では、図１（実施の形態１）に示した携帯テレビ端末１２０において、選局ボタン１５２１と選局情報作成部１５２２とが追加され、制御部１２４に代えて制御部１５２３が設けられている。つまり、携帯テレビ端末１５２０は、固定テレビ１５００のリモコンとして使用できる端末であり、固定テレビ１５００のチャンネルを携帯テレビ端末１５２０のテンキーから選局を行うことができる。
【０１１１】
具体的には、携帯テレビ端末１５２０では、選局ボタン１５２１を操作して固定テレビ１５００のチャンネルを入力すると、選局情報作成部１５２２が固定テレビ１５００の選局情報を作成し、赤外線送受信部から送信を行うとともに、記憶部１２３に記憶される携帯テレビ端末自身のチャンネルも同一のチャンネルに変更することを行う。したがって、固定テレビ１５００の制御部１５０１は、チャンネル情報の送信は行わない。
【０１１２】
図１６と図１７を参照して、以上のように構成される実施の形態７に係るテレビ映像表示システムにて実現されるテレビ画面の切替動作について説明する。なお、図１６は、固定テレビ１５００でのテレビ画面の切替動作を説明するフローチャートである。図１７は携帯テレビ端末１５２０でのテレビ画面の切替動作を説明するフローチャートである。
【０１１３】
図１６において、固定テレビ１５００では、制御部１５０１は、赤外線送受信部１０２から携帯テレビ端末１５２０に向けて任意の信号を送信させる（ステップＳ１６０１）。同時に、タイマー１０１をリセットして初期化を行い指定時間のカウント動作を開始させ（ステップＳ１６０２）、赤外線送受信部１０２から受信した携帯テレビ端末１５２０から信号が入力するのを監視し（ステップＳ１６０３）、赤外線送受信部１０２が携帯テレビ端末１５２０から信号を受信できか否かを判定する（ステップＳ１６０４）。
【０１１４】
制御部１５０１は、赤外線送受信部１０２が携帯テレビ端末１５２０から信号を指定時間の経過以内（ステップＳ１６１１：ＮＯ）に受信できた場合は（ステップＳ１６０４：ＹＥＳ）、その信号が選局情報であるか否かを判定する（ステップＳ１６０５）。そして、選局情報を受信した場合は（ステップＳ１６０５：ＹＥＳ）、制御部１５０１は、携帯テレビ端末１５２０からのチャンネル情報（選局情報）を記憶部１０３に設定し（ステップＳ１６０６）、ステップＳ１６０３に戻る。
【０１１５】
また、制御部１５０１は受信した信号が選局情報でない場合は（ステップＳ１６０５：ＮＯ）、チューナ１０６が再生動作中である否かを判定する（ステップＳ１６０７）。そして、チューナ１０６が再生動作中であれば（ステップＳ１６０７：ＹＥＳ）、当該固定テレビ１５００でのテレビ映像の再生表示を継続させ、指定時間の経過を待ち（ステップＳ１６１０：ＮＯ）、その指定時間が経過すると（ステップＳ１６１０：ＹＥＳ）、ステップＳ１６０１に戻る。
【０１１６】
また、制御部１５０１は、ステップＳ１６０７においてチューナ１０６が再生動作を行っていなければ（ステップＳ１６０７：ＮＯ）、固定テレビ１５００でのテレビ映像の再生表示に切り替えるために、記憶部１０３から取得したチャンネル情報（選局情報）をチューナ１０６に設定し（ステップＳ１６０８）、チューナ１０６に再生動作を開始させ（ステップＳ１６０９）、即ち、当該固定テレビ１５００でのテレビ映像の再生表示を開始させる。そして、指定時間の経過を待ち（ステップＳ１６１０：ＮＯ）、その指定時間の経過すると（ステップＳ１６１０：ＹＥＳ）、ステップＳ１６０１に戻る。
【０１１７】
また、制御部１５０１は、ステップＳ１６０４において、受信できてない状況（ステップＳ１６０４：ＮＯ）が指定時間を超えて継続すると（ステップＳ１６１１：ＹＥＳ）、チューナ１０６が再生動作中である否かを判定する（ステップＳ１６１２）。チューナ１０６が再生動作中であれば（ステップＳ１６１２：ＹＥＳ）、チューナ１０６に再生動作を停止させ（ステップＳ１６１３）、即ち、テレビ映像の再生表示を停止させ、ステップＳ１６０１に戻る。また、チューナ１０６が再生動作を行っていなければ（ステップＳ１６１２：ＮＯ）、テレビ映像の再生表示を行っていないので、そのままステップＳ１６０１に戻る。
【０１１８】
次に、図１７において、携帯テレビ端末１５２０では、制御部１５２３は、タイマー１２１をリセットして初期化を行い、指定時間のカウント動作を開始させ（ステップＳ１７０１）、赤外線送受信部１２２から受信した固定テレビ１５００から信号が入力するのを監視し（ステップＳ１７０２）、赤外線送受信部１２２が固定テレビ１５００から信号を受信できたか否かを判定する（ステップＳ１７０３）。
【０１１９】
制御部１５２３は、赤外線送受信部１２２が固定テレビ１５００から信号を指定時間の経過以内（ステップＳ１７０７：ＮＯ）に受信できた場合は（ステップＳ１７０３：ＹＥＳ）、チューナ１２６が再生動作中であるか否かを判定する（ステップＳ１７０４）。そして、チューナ１２６が再生動作中であれば（ステップＳ１７０４：ＹＥＳ）、チューナ１２６に再生動作を停止させ（ステップＳ１７０５）、即ちテレビ映像の再生表示を停止させ、チャンネル情報（選局情報）を送信し（ステップＳ１７０６）、ステップＳ１７０１に戻る。また、制御部１５２３は、チューナ１２６が再生動作を行っていなければ（ステップＳ１７０４：ＮＯ）、直接チャンネル情報（選局情報）を送信し（ステップＳ１７０６）、ステップＳ１７０１に戻る。
【０１２０】
一方、制御部１５２３は、ステップＳ１７０３において、受信できてない状況（ステップＳ１７０３：ＮＯ）が指定時間を超えて継続すると（ステップＳ１７０７：ＹＥＳ）、チューナ１２６が再生動作中である否かを判定する（ステップＳ１７０８）。制御部１５２３は、チューナ１２６が再生動作中であれば（ステップＳ１７０８：ＹＥＳ）、そのままステップＳ１７０１に戻る。また、制御部１５２３は、チューナ１２６が再生動作を行っていなければ（ステップＳ１７０８：ＮＯ）、チューナ１２６にチャンネル情報を設定して再生動作を行わせ（ステップＳ１７０９）、即ち、テレビ映像の再生表示を行わせ、ステップＳ１７０１に戻る。
【０１２１】
このように、実施の形態７によれば、リモコンとして使用することのできる携帯テレビ端末を用いて固定テレビと携帯テレビ端末との間でテレビ映像の再生表示切り替えを自動的に行うことができるので、実施の形態１と同様の作用、効果を得ることができる。
【０１２２】
なお、他のリモコンから固定テレビのチャンネル変更があった場合に備え、携帯テレビ端末でも、他のリモコンからの信号を受け付けるようにする。そして、他のリモコンからチャンネル変更の信号がある場合は、固定テレビ及び携帯テレビ端末のチャンネルは、共に、他のリモコンの選局されたチャンネルに設定されるようにしても良い。
【０１２３】
（実施の形態８）
本発明の実施の形態８に係るテレビ映像表示システムでは、図１５（実施の形態７）に示した構成を用いて、実施の形態７とは逆に、携帯テレビ端末が、一定周期でチャンネル情報（選局情報）の送信を行い、固定テレビからの応答受信を待つ方法を実施する場合が示されている。以下、図１８と図１９を参照して本発明の実施の形態８に係るテレビ映像表示システムでのテレビ画面の切替動作について説明する。ここでは、図１５の構成を参照して説明する。
【０１２４】
図１８は、本発明の実施の形態８に係るテレビ映像表示システムにおける固定テレビ１５００でのテレビ画面の切替動作を説明するフローチャートである。図１８において、固定テレビ１５００では、制御部１５０１は、タイマー１０１をリセットして初期化を行い指定時間のカウント動作を開始させ（ステップＳ１８０１）、赤外線送受信部１０２から受信した携帯テレビ端末１５２０からの信号が入力するのを監視し（ステップＳ１８０２）、赤外線送受信部１２２が携帯テレビ端末１５２０から信号を受信できたか否かを判定する（ステップＳ１８０３）。
【０１２５】
制御部１５０１は、赤外線送受信部１０２が携帯テレビ端末１５２０から信号を指定時間の経過以内（ステップＳ１８１０：ＮＯ）に受信できた場合は（ステップＳ１８０３：ＹＥＳ）、その信号が選局情報であるか否かを判定する（ステップＳ１８０４）。そして、選局情報を受信した場合は（ステップＳ１８０４：ＹＥＳ）、制御部１５０１は、携帯テレビ端末１５２０からのチャンネル情報（選局情報）を記憶部１０３に設定し（ステップＳ１８０５）、ステップＳ１８０２に戻る。
【０１２６】
また、制御部１５０１は受信した信号が選局情報でない場合は（ステップＳ１８０４：ＮＯ）、チューナ１０６が再生動作中である否かを判定する（ステップＳ１８０６）。そして、チューナ１０６が再生動作中であれば（ステップＳ１８０６：ＹＥＳ）、当該固定テレビ１５００でのテレビ映像の再生表示を継続させ、指定時間の経過を待ち（ステップＳ１８１０：ＮＯ）、応答送信を行って（ステップＳ１８０９）、ステップＳ１８０１に戻る。
【０１２７】
また、制御部１５０１は、ステップＳ１８０６においてチューナ１０６が再生動作を行っていなければ（ステップＳ１８０６：ＮＯ）、固定テレビ１５００でのテレビ映像の再生表示に切り替えるために、記憶部１０３から取得したチャンネル情報（選局情報）をチューナ１０６に設定し（ステップＳ１８０７）、チューナ１０６に再生動作を開始させ（ステップＳ１８０８）、即ち、当該固定テレビ１５００でのテレビ映像の再生表示を開始させる。そして、応答送信を行って（ステップＳ１８０９）、ステップＳ１８０１に戻る。
【０１２８】
また、制御部１５０１は、ステップＳ１８０３において、受信できてない状況（ステップＳ１８０３：ＮＯ）が指定時間を超えて継続すると（ステップＳ１８１０：ＹＥＳ）、チューナ１０６が再生動作中である否かを判定する（ステップＳ１８１１）。チューナ１０６が再生動作中であれば（ステップＳ１８１１：ＹＥＳ）、チューナ１０６に再生動作を停止させ（ステップＳ１８１２）、即ちテレビ映像の再生表示を停止させ、ステップＳ１８０１に戻る。また、チューナ１０６が再生動作を行っていなければ（ステップＳ１８１１：ＮＯ）、テレビ映像の再生表示を行っていないので、そのままステップＳ１８０１に戻る。
【０１２９】
図１９は、本発明の実施の形態８に係るテレビ映像表示システムにおける携帯テレビ端末１５２０でのテレビ画面の切替動作を説明するフローチャートである。図１９において携帯テレビ端末１５２０では、制御部１５２３は、記憶部１２３からチャンネル情報を取得し（ステップＳ１９０１）、赤外線送受信部１２２から固定テレビ１５００に向けて送信させる（ステップＳ１９０２）。同時に、タイマー１２１をリセットして初期化を行い指定時間のカウント動作を開始させ（ステップＳ１９０３）、赤外線送受信部１２２から受信した固定テレビ１５００から信号が入力するのを監視し（ステップＳ１９０４）、赤外線送受信部１２２が固定テレビ１５００から信号を受信できか否かを判定する（ステップＳ１９０５）。
【０１３０】
制御部１５２３は、赤外線送受信部１２２が固定テレビ１５００のチャンネル情報を指定時間の経過以内（ステップＳ１９０９：ＮＯ）に受信できた場合は（ステップＳ１９０５：ＹＥＳ）、チューナ１２６が再生動作中である否かを判定する（ステップＳ１９０６）。そして、チューナ１２６が再生動作中であれば（ステップＳ１９０６：ＹＥＳ）、指定時間の経過を待ち（ステップＳ１９０８：ＮＯ）、その指定時間が経過すると（ステップＳ１９０８：ＹＥＳ）、ステップＳ１９０１に戻る。
【０１３１】
また、制御部１５２３は、チューナ１２６が再生動作を行っていなければ（ステップＳ１９０６：ＮＯ）、チューナ１２６にチャンネル情報を設定して再生動作を開始させ（ステップＳ１９０７）、即ち、当該携帯テレビ端末１２０でのテレビ映像の再生表示を開始させる。そして、指定時間の経過を待ち（ステップＳ１９０８：ＮＯ）、その指定時間の経過すると（ステップＳ１９０８：ＹＥＳ）、ステップＳ１９０１に戻る。
【０１３２】
また、制御部１５２３は、ステップＳ１９０５において、受信できてない状況（ステップＳ１９０５：ＮＯ）が指定時間を超えて継続すると（ステップＳ１９０９：ＹＥＳ）、チューナ１２６が再生動作中である否かを判定する（ステップＳ１９１０）。そして、チューナ１２６が再生動作を行っていなければ（ステップＳ１９１０：ＮＯ）、そのままステップＳ１９０１に戻る。また、チューナ１２６が再生動作中であれば（ステップＳ１９１０：ＹＥＳ）、チューナ１２６に再生動作を停止させ（ステップＳ１９１１）、即ちテレビ映像の再生表示を停止させ、ステップＳ１９０１に戻る。
【０１３３】
このように、実施の形態８によれば、携帯テレビ端末が、一定周期でチャンネル情報（選局情報）の送信を行い、固定テレビからの応答受信を待つ方法を採用した場合でも、固定テレビと携帯テレビ端末との間でテレビ映像の再生表示切り替えを自動的に行うことができるので、実施の形態１と同様の作用、効果を得ることができる。
【０１３４】
なお、他のリモコンから固定テレビのチャンネル変更があった場合に備え、携帯テレビ端末でも、他のリモコンからの信号を受け付けるようにする。そして、他のリモコンからチャンネル変更の信号がある場合は、固定テレビ及び携帯テレビ端末のチャンネルは、共に、他のリモコンの選局されたチャンネルに設定されるようにしても良い。
【０１３５】
（実施の形態９）
図２０は、本発明の実施の形態９に係るテレビ映像表示システムの構成を示すブロック図である。なお、図２０では、図１５（実施の形態７）に示した構成要素と同一ないしは同等である要素には同一の符号が付されている。ここでは、本実施の形態９に関わる部分を中心に説明する。
【０１３６】
図２０に示すように、本実施の形態９では、図１５（実施の形態７）に示した構成において、固定テレビ１５００に代えて固定テレビ２０００が設けられている。固定テレビ２０００では、図１５（実施の形態７）に示した固定テレビ１５００において、赤外線送受信部１０２に代えて赤外線受信部２００１が設けられ、反射板２００２が追加され、制御部１５０１に代えて制御部２００３が設けられている。
【０１３７】
即ち、本実施の形態９に係るテレビ映像表示システムでは、実施の形態８と同様に、実施の形態７とは逆に、携帯テレビ端末１５２０が一定周期でチャンネル情報（選局情報）の送信を行い、固定テレビからの応答受信を待つ方法を実施するが、本実施の形態９での固定テレビ２０００では、実施の形態８での固定テレビ１５００とは異なり、制御部２００３は、赤外線受信部２００１が受信した携帯テレビ端末１５２０からのチャンネル情報（選局情報）を取り込む動作のみを行い、応答送信は反射板２００２に依って行うようにしている。なお、反射板２００２は、赤外線を反射できる板材であれば良く、例えばテレビ画面の表面板（ガラス板）でも良い。
【０１３８】
図２１は、固定テレビ２０００でのテレビ画面の切替動作を説明するフローチャートである。したがって、固定テレビ２０００でのテレビ画面の切替動作では、図２１に示すように図１８において、応答送信処理（ステップＳ１８０９）を省略した手順となる。なお、携帯テレビ端末１５２０でのテレビ画面の切替動作は、図２２に示すが、図１９に示した手順と同様である。
【０１３９】
このように、実施の形態９によれば、携帯テレビ端末が一定周期でチャンネル情報（選局情報）の送信を行い、固定テレビからの応答受信を待つ方法を実施する場合に、固定テレビでは、反射板を用いて応答送信を行うようにしても、実施の形態８と同様の作用、効果を得ることができる。
【０１４０】
（実施の形態１０）
図２３は、本発明の実施の形態１０に係るテレビ映像表示システムの構成を示すブロック図である。なお、図２３では、図１（実施の形態１）に示した構成要素と同一ないしは同等である要素には同一の符号が付されている。ここでは、本実施の形態１０に関わる部分を中心に説明する。
【０１４１】
図２３に示すように、本実施の形態１０では、図１（実施の形態１）に示した構成において、固定テレビ１００に代えて固定テレビ２３００が設けられ、携帯テレビ端末１２０に代えて携帯テレビ端末２３２０が設けられている。
【０１４２】
固定テレビ２３００では、図１（実施の形態１）に示した固定テレビ１００において、ＩＤ情報を記憶する記憶部２３０１が追加され、制御部１０４に代えて制御部２３０２が設けられている。携帯テレビ端末２３２０では、図１（実施の形態１）に示した携帯テレビ端末１２０において、ＩＤ情報を記憶する記憶部２３２１が追加され、制御部１２４に代えて制御部２３２２が設けられている。
【０１４３】
固定テレビ２３００の記憶部２３０１には、携帯テレビ端末２３２０の電話番号やメールアドレスなど制御対象の携帯テレビ端末２３２０を識別するＩＤ情報が予め登録されている。また、携帯テレビ端末２３２０の記憶部２３２１には、当該携帯テレビ端末２３２０を識別するＩＤ情報（電話番号やメールアドレスなど）が予め登録されている。
【０１４４】
図２４と図２５を参照して、以上のように構成される実施の形態１０に係るテレビ映像表示システムにて実現されるテレビ画面の切替動作を説明する。なお、図２４は、固定テレビ２３００でのテレビ画面の切替動作を説明するフローチャート、図２５は、携帯テレビ端末２３２０でのテレビ画面の切替動作を説明するフローチャートである。
【０１４５】
図２４では、図２に示した処理手順と同一ないしは同等である手順には同一の符号が付されている。ここでは、本実施の形態１０に関わる制御部２３０２の動作について説明する。図２４において、固定テレビ２３００では、制御部２３０２は、記憶部１０３からチャンネル情報を取得する（ステップＳ２０１）際に、記憶部２３０１からＩＤ情報を取得し、その取得したチャンネル情報とＩＤ情報とを赤外線送受信部１０２から携帯テレビ端末１２０に向けて送信させる（ステップＳ２４０１）。そして、タイマー１０１のリセット処理を行う（ステップＳ２０３）。
【０１４６】
また、制御部２３０２は、赤外線送受信部１０２が携帯テレビ端末２３２０のチャンネル情報を指定時間の経過以内（ステップＳ２１０：ＮＯ）に受信できた場合は（ステップＳ２０５：ＹＥＳ）、まず、そのチャンネル情報に付随するＩＤ情報と記憶部２３０１に登録されているＩＤ情報とを照合する（ステップＳ２４０２）。そして、受信したＩＤ情報が登録されている場合（ステップＳ２４０２：ＹＥＳ）に、チューナ１０６が再生動作中である否かの判定処理（ステップＳ２０６）を行う。一方、受信したＩＤ情報が登録されていない場合は（ステップＳ２４０２：ＮＯ）、受信できなかった場合（ステップＳ２０５：ＮＯ）と同様の処理（ステップＳ２１０）に進む。
【０１４７】
次に、図２５では、図３に示した処理手順と同一ないしは同等である手順には同一の符号が付されている。ここでは、本実施の形態１０に関わる制御部２３２２の動作について説明する。図２５において、携帯テレビ端末２３２０では、制御部２３２２は、赤外線送受信部１２２が固定テレビ２３００のチャンネル情報を指定時間の経過以内（ステップＳ３０８：ＮＯ）に受信できた場合は（ステップＳ３０３：ＹＥＳ）、まず、そのチャンネル情報に付随するＩＤ情報と記憶部２３２１に登録されているＩＤ情報とを照合する（ステップＳ２５０１）。そして、受信したＩＤ情報が登録されている場合（ステップＳ２５０１：ＹＥＳ）に、チューナ１２６が再生動作中である否かの判定処理（ステップＳ３０４）を行う。一方、受信したＩＤ情報が登録されていない場合は（ステップＳ２５０１：ＮＯ）、受信できなかった場合（ステップＳ３０３：ＮＯ）と同様の処理（ステップＳ３０８）に進む。
【０１４８】
また、制御部２３２２は、受信した固定テレビ２３００からのチャンネル情報を記憶部１２３に設定（ステップＳ３０６）すると、その設定したチャンネル情報に記憶部２３２１に登録されているＩＤ情報を付加した情報を応答として赤外線送受信部１２２から固定テレビ２３００に向けて送信させ（ステップＳ２５０２）、ステップＳ３０１に戻る。
【０１４９】
このように、実施の形態１０では、固定テレビには制御対象の携帯テレビ端末に付与されているＩＤ情報を登録し、携帯テレビ端末には自端末のＩＤ情報を登録しておく。固定テレビから送信する場合は、登録ＩＤ情報をチャンネル情報とともに送信する。これに対して携帯テレビ端末は、固定テレビから受信すると、その受信情報の中に自端末のＩＤ情報があるか否か確認し自端末のＩＤ情報がある場合にテレビ映像の表示切替制御を行う。その際、固定テレビへの応答送信情報には自端末のＩＤ情報を含める。そして、応答を受信した固定テレビは、受信したＩＤ情報と登録ＩＤ情報との照会を行い、登録されてＩＤ情報以外の機器からの制御を受け付けないようにしている。
【０１５０】
これによっても実施の形態１と同様の作用、効果が得られる。なお、固定テレビと携帯テレビ端末が、互いにＩＤ情報の照合を行う場合を示したが、どちらか一方のみの照合でもよい。例えば、固定テレビのみＩＤ情報の照合を行う、もしくは携帯テレビ端末のみＩＤ情報の照合を行うようにしても良い。
【産業上の利用可能性】
【０１５１】
本発明は、据置型テレビジョン受像機とテレビ映像の再生表示が可能な携帯端末との間で自動的にテレビ画面の切り替えが行えるテレビ映像表示システムとして好適である。
【図面の簡単な説明】
【０１５２】
【図１】本発明の実施の形態１に係るテレビ映像表示システムの構成を示すブロック図
【図２】図１に示す固定テレビでのテレビ画面の切替動作を説明するフローチャート
【図３】図１に示す携帯テレビ端末でのテレビ画面の切替動作を説明するフローチャート
【図４】本発明の実施の形態２に係るテレビ映像表示システムの構成を示すブロック図
【図５】本発明の実施の形態３に係るテレビ映像表示システムの構成を示すブロック図
【図６】図５に示す固定テレビでのテレビ画面の切替動作を説明するフローチャート
【図７】図５に示す携帯テレビ端末でのテレビ画面の切替動作を説明するフローチャート
【図８】本発明の実施の形態４に係るテレビ映像表示システムの構成を示すブロック図
【図９】図８に示す固定テレビでのテレビ画面の切替動作を説明するフローチャート
【図１０】図８に示す携帯テレビ端末でのテレビ画面の切替動作を説明するフローチャート
【図１１】本発明の実施の形態５に係るテレビ映像表示システムの構成を示すブロック図
【図１２】図１１に示す固定テレビでのテレビ画面の切替動作を説明するフローチャート
【図１３】本発明の実施の形態６に係るテレビ映像表示システムにおける固定テレビでのテレビ画面の切替動作を説明するフローチャート
【図１４】本発明の実施の形態６に係るテレビ映像表示システムにおける携帯テレビ端末でのテレビ画面の切替動作を説明するフローチャート
【図１５】本発明の実施の形態７に係るテレビ映像表示システムの構成を示すブロック図
【図１６】図１５に示す固定テレビでのテレビ画面の切替動作を説明するフローチャート
【図１７】図１５に示す携帯テレビ端末でのテレビ画面の切替動作を説明するフローチャート
【図１８】本発明の実施の形態８に係るテレビ映像表示システムにおける固定テレビでのテレビ画面の切替動作を説明するフローチャート
【図１９】本発明の実施の形態８に係るテレビ映像表示システムにおける携帯テレビ端末でのテレビ画面の切替動作を説明するフローチャート
【図２０】本発明の実施の形態９に係るテレビ映像表示システムの構成を示すブロック図
【図２１】図２０に示す固定テレビでのテレビ画面の切替動作を説明するフローチャート
【図２２】図２０に示す携帯テレビ端末でのテレビ画面の切替動作を説明するフローチャート
【図２３】本発明の実施の形態１０に係るテレビ映像表示システムの構成を示すブロック図
【図２４】図２３に示す固定テレビでのテレビ画面の切替動作を説明するフローチャート
【図２５】図２３に示す携帯テレビ端末でのテレビ画面の切替動作を説明するフローチャート
【符号の説明】
【０１５３】
１００，５００，８００，１１００，１５００，２０００，２３００  固定テレビ
１０１，１２１  タイマー
１０２，１２２  赤外線送受信部
１０３，１２３，４２３  記憶部（チャンネル情報）
１０４，１２４，４０３，４２６，５０２，５２３，８０１，８２２，１１０２，１５０１，１５２３，２００３，２３０２，２３２２  制御部
１０５，４２１  アンテナ
１０６，１２６，４２２  チューナ
１０７，１２７  映像処理部
１０８，１２８  映像表示部
１２０，４００，５２０，８２０，１５２０  携帯テレビ端末
１２５  アンテナ
４０１，４２４  無線ＬＡＮアンテナ
４０２，４２５  無線ＬＡＮ送受信部
４２０  パソコンやビデオ
５０１，５２２  無線通信部
８２１  通話制御部
１１０１  記憶部（通話情報）
１５２１  選局ボタン
１５２２  選局情報作成部
２００１  赤外線受信部
２００２  反射板
２３０１，２３２１  記憶部（ＩＤ情報）
【図１】
2006108902.tif 000003
【図２】
2006108902.tif 000004
【図３】
2006108902.tif 000005
【図４】
2006108902.tif 000006
【図５】
2006108902.tif 000007
【図６】
2006108902.tif 000008
【図７】
2006108902.tif 000009
【図８】
2006108902.tif 000010
【図９】
2006108902.tif 000011
【図１０】
2006108902.tif 000012
【図１１】
2006108902.tif 000013
【図１２】
2006108902.tif 000014
【図１３】
2006108902.tif 000015
【図１４】
2006108902.tif 000016
【図１５】
2006108902.tif 000017
【図１６】
2006108902.tif 000018
【図１７】
2006108902.tif 000019
【図１８】
2006108902.tif 000020
【図１９】
2006108902.tif 000021
【図２０】
2006108902.tif 000022
【図２１】
2006108902.tif 000023
【図２２】
2006108902.tif 000024
【図２３】
2006108902.tif 000025
【図２４】
2006108902.tif 000026
【図２５】
2006108902.tif 000027